(57)【要約】      （修正有）【課題】旅行用バッグ内に収納でき、又、同じバッグに収納する襟付きシャツの襟を保護できるネクタイケースを提供する。【解決手段】ネクタイケース１０は、短円筒状に形成され、内部に収納部を有し、折畳んだ襟付きシャツ１５の首部空隙部１６内に配置される。上記ネクタイケース１０は、本体部１２と、前記本体部１２に設けられた蓋部１３とからなり、複数本のネクタイを長さ方向に沿って丸めた状態で、上記本体部１２内に、蓋部１３を被せた状態で収納することができるように構成されている。ネクタイケース１０の直計寸法は、一般に市販されている襟付きシャツの内、最も小さい首周り寸法のシャツの襟部の内計寸法と同一に形成されている。また、上記蓋部１３は、上記本体部１２の上端にファスナー１４を介して開閉可能に固定されている。【選択図】図１
0003157434.tif 000002
【実用新案登録請求の範囲】
【請求項１】
短円筒状に形成され、内部に収納部を有し、折畳んだ襟付きシャツの首部空隙部内に配置されることを特徴とするネクタイケース。
【請求項２】
本体部と、上記本体部に設けられた蓋部とにより構成されていることを特徴とする請求項１記載のネクタイケース。
【請求項３】
上記蓋部は上記本体部の上端にファスナーを介して開閉可能に固定されていることを特徴とする請求項２記載のネクタイケース。
【考案の詳細な説明】
【技術分野】
【０００１】
本考案はネクタイケースに係り、特に、折畳んだ襟付きシャツの首部空隙部内に配置できるネクタイケースに関する。
【背景技術】
【０００２】
一般に、宿泊する必要がある出張等において、Ｙシャツを折畳んでバッグ等に収納して携帯する場合、旅行用バッグの中には多数の物品を詰め込むことが多く、バッグ内の収納空間も限られていることから、他の物品に圧迫されて襟がつぶれてしまう場合が多い。
【０００３】
背広の下に着用するＹシャツは、襟部はいわゆるＶゾーンにおいて非常に目立つことから、襟に皴がよっていたり、襟に折り目がついていたりした場合には、出張先等で使用者は非常に不快な思いをすることが多かった。
従って、従来より、Ｙシャツ等の襟付きのシャツをバッグに収納して携帯した場合であっても、襟がつぶれたり、皺がよったりすることなく、出張先で快適に着用したい、という要請があった。
【０００４】
また、長期の出張の場合には、複数本のネクタイを必要とする場合もあり、複数本のネクタイを旅行用バッグに詰め込んで携帯する際に、ネクタイは絹等のデリケートな素材からなることから、折畳んでバッグに収納した場合には、他の物品により圧迫されてネクタイに折り目や皺がついてしまい、使用する際に見栄えが悪い、という問題もあった。
【０００５】
従って、従来より、ネクタイをバッグに収納して携帯する場合に、ネクタイが皺になったり、折り目がついたりすることなく、ネクタイの外観品質が低下することなく旅行先で使用したい、という要請があった。
このような要請に応えるものとして従来特許文献１に示すような携帯用ネクタイケースが提案されていた。
【０００６】
しかしながら、この従来の携帯用ネクタイケースは、合成樹脂製の略円筒状のケースからなり、内部に配置された軸部にネクタイを巻装して収納するように構成されており、旅行用バッグに収納する場合であっても、所定のスペースを必要とすることから、携帯が煩雑である、という不具合があった。
【特許文献１】実開１−１３９７２８号
【考案の開示】
【考案が解決しようとする課題】
【０００７】
本考案は上記要請に応えるものであり、その課題は、旅行用バッグ内に嵩張ることなく収納することができると共に、同じく旅行用バッグに収納する襟付きシャツの襟を保護することができ、旅行先において、ネクタイ及び襟付きシャツの快適な使用を確保することができるネクタイケースを提供することにある。
【課題を解決するための手段】
【０００８】
上記課題を解決するために、請求項１の考案にあっては、短円筒状に形成され、内部に収納部を有し、折畳んだ襟付きシャツの首部空隙部内に配置されることを特徴とする。
【０００９】
従って、請求項１記載の考案にあっては、ネクタイを長さ方向に丸めて上記収納部内に収納し、上記襟付きシャツの首部空隙部内に配置することにより、襟付きシャツの襟の内側部はネクタイケースの外周縁部に当接することから、旅行バッグ内で他の物品により圧迫された場合であっても襟がつぶれる事態を防止できる。
【００１０】
また、内部にネクタイを長さ方向に丸めて収納していることから、ネクタイに皺がよったり、折り目がつくことはない。
【００１１】
また、請求項２記載の考案にあっては、本体部と、上記本体部に設けられた蓋部とにより構成されていることを特徴とする。
従って、請求項２記載の考案にあっては、予備のネクタイを携帯する場合には、本体部内に丸めて収納した後、上記蓋部を閉じて旅行用バッグに収納することができる。
【００１２】
請求項３記載の考案にあっては、上記蓋部は上記本体部の上端にファスナーを介して開閉可能に固定されていることを特徴とする。
【考案の効果】
【００１３】
請求項１記載の考案にあっては、本考案に係るネクタイケースを上記襟付きシャツの首部空隙部内に配置することにより、襟付きシャツの襟の内側部はネクタイケースの外周縁部に当接することから襟がつぶれる事態はなく、旅行用バッグ内に収納して携帯した予備の襟付きシャツを、外観品質を損なうことなく、現地で快適に使用することができる。
【００１４】
また、同時に、予備のネクタイはネクタイケース内に丸めて収納されていることから予備のネクタイが、旅行用バッグ内に収納して他の物品に圧迫されて皺が寄ったり、折り目がついてしまう、という事態を有効に防止することができる。
【００１５】
さらに、ネクタイケースは上記襟付きシャツの首部空隙内に配置させることにより、シャツと共に旅行用バッグ内に収納することができるため、別個にネクタイケースの収納部を考慮する必要がなく、限られたスペースの旅行用バッグ内で効率的な収納を行うことができる。
【００１６】
請求項２記載の考案にあっては、予備のネクタイを携帯する場合には、本体部内に、上記蓋部を閉じた状態でネクタイを収納することができるため、旅行用バッグ内において、他の収納物による圧迫等の影響を排除してネクタイを携帯することができる。
【００１７】
請求項３記載の考案にあっては、上記蓋部は上記本体部の上端にファスナーを介して開閉可能に固定されていることから、内部に収納したネクタイを取り出す際にも迅速に取り出すことができる。
【図面の簡単な説明】
【００１８】
【図１】本考案の一実施の形態に係るネクタイケースを襟付きシャツの首部空隙部内に配置した状態を示す斜視図である。
【図２】本考案の一実施の形態に係るネクタイケースを示す斜視図である。
【図３】本考案の一実施の形態に係るネクタイケースを示す斜視図であってファスナーを開放して、蓋部を開けかけた状態を示す図である。
【考案を実施するための最良の形態】
【００１９】
以下、添付図面に示す実施の形態に基づき本考案を詳細に説明する。
図１〜図３に示すように、本実施の形態に係るネクタイケース１０は、短円筒状に形成され、内部に収納部１１を有し、折畳んだ襟付きシャツ１５の首部空隙部１６内に配置される。
【００２０】
上記ネクタイケース１０は、本体部１２と、上記本体部１２に設けられた蓋部１３とからなり、複数本のネクタイを長さ方向に沿って丸めた状態で、上記本体部１２内に、蓋部１３を被せた状態で収納することができるように構成されている。
【００２１】
ネクタイケース１０の直計寸法は、一般に市販されている襟付きシャツの内、最も小さい首周り寸法のシャツの襟部の内計寸法と同一に形成されている。また、上記蓋部１３は、上記本体部１２の上端にファスナー１４を介して開閉可能に固定されている。
【００２２】
以下、本実施の形態に係るネクタイケース１０の作用について説明する。
例えば、出張等で、本実施の形態に係るネクタイケース１０を用いて、予備のネクタイを旅行用バッグ内に収納して形態したい場合には、上記のように、ネクタイを長さ方向に沿って丸めた状態で、上記本体部１２内に収納し、その後、蓋部１３を被せてファスナー１４により蓋部１３を本体部１２に固定する。
【００２３】
そして、この状態で予備のネクタイを収納したネクタイケース１０を襟付きシャツ１５の首部空隙部１６内に配置する。
【００２４】
この場合、上記のように、ネクタイケース１０の直計寸法は、一般に市販されている襟付きシャツ１５の内、最も小さい首周り寸法を有する襟付きシャツの首部１７の内径寸法と同一に形成されていることから、襟付きシャツ１５の大きさに拘わらず、上記首部空隙部１６内に収納配置することができる。
【００２５】
また、ネクタイケース１０の厚さ寸法は、最も広い幅寸法を持つネクタイの剣先の最大幅寸法よりも大きく形成されていることから、襟付きシャツ１５の襟を立てた状態であっても。襟部１７の周縁部１８は、上記本体部１２の周縁部に当接する。
【００２６】
その結果、上記ネクタイケース１０を襟付きシャツ１５の首部空隙部１６内に収納した状態で、旅行用バッグ内に収納する。
この際に、他の旅行に必要な物品を多数行用バッグに詰め込み、他の物品により上記襟付きシャツ１５が圧迫された場合であっても、襟部１７はネクタイケース１０により保持されていることから、襟部１７がつぶれてしまったり、皺がよってしまうことはない。
【００２７】
また、ネクタイケース１０も襟付きシャツ１５と共に旅行用バッグ内に収納することができることから、別途に、ネクタイケース１０の収納箇所を確保する必要はなく、旅行用バッグへの効率的な収納が可能となる。
【００２８】
同時に、ネクタイケース１０内に収納された予備のネクタイも、旅行用バッグ内に収納された他の物品に圧迫された場合であっても、ネクタイケース１０により保護されていることから、皺がよったり、折り目がついたりすることはない。
【００２９】
従って、本実施の形態に係るネクタイケース１０を使用した場合には、予備のネクタイ及び襟付きシャツを現地で快適に使用することができると同時に、ネクタイケース１０の旅行バッグへの収納効率を向上させることができる。
なお、本実施の形態にあっては、蓋部１３が本体部１２にファスナー１４を介して開閉可能に固定されている場合を例に説明したが、上記実施の形態に限定されず、ホック等他の固定手段により固定するものであってもよい。
【産業上の利用可能性】
【００３０】
本考案は、広くネクタイケースに適用することができる。
【符号の説明】
【００３１】
１０  ネクタイケース
１１  収納部
１２  本体部
１３  蓋部
１４  ファスナー
１５  襟付きシャツ
１６  首部空隙部
１７  首部
１８  周縁部
【図１】
0003157434.tif 000003
【図２】
0003157434.tif 000004
【図３】
0003157434.tif 000005